(57)【要約】【課題】表示パネル上の記憶装置に保存された制御変数が適正か否かについて、より効率的に検査できる表示装置を提供する。【解決手段】表示装置は、画像が表示される表示領域２０２と画像の表示を制御する制御回路２０３とを有する表示パネル２００を備え、制御回路は、画像の表示制御に用いられる制御変数が保存される制御変数記憶領域と、制御変数記憶領域に保存される制御変数が適正であるかを検査するための基準となる基準検査符号が保存される基準検査符号記憶領域２１１と、基準検査符号と比較される比較検査符号が保存される比較検査符号記憶領域２１３と、制御変数記憶領域に保存されている制御変数についての検査符号を比較検査符号として算出し、比較検査符号記憶領域に保存する検査符号算出保存部２１５と、基準検査符号及び比較検査符号を比較し、制御変数記憶領域に保存された制御変数が適正であるか否かを判定する判定処理部２１６とを有する。【選択図】図２
2014134662.tif 000002
【特許請求の範囲】
【請求項１】
画像が表示される表示領域と前記画像の表示を制御する制御回路とを有する表示パネルを備え、
前記制御回路は、
前記画像の表示制御において用いられる制御変数が保存される制御変数記憶領域と、
前記制御変数記憶領域に保存される制御変数が適正であることを検査する基準となる検査符号である基準検査符号が保存される基準検査符号記憶領域と、
前記基準検査符号と比較される比較検査符号が保存される比較検査符号記憶領域と、
前記制御変数記憶領域に保存されている前記制御変数についての検査符号を前記比較検査符号として算出し、前記比較検査符号記憶領域に保存する検査符号算出保存部と、
前記基準検査符号と、前記比較検査符号と、を比較し、前記制御変数記憶領域に保存された前記制御変数が適正であるか否かを判定する判定処理部と、
を有することを特徴とする表示装置。
【請求項２】
前記制御回路は、
前記制御変数が前記制御変数記憶領域に保存される際に、当該保存される制御変数を基準制御変数として記憶する基準制御変数記憶領域、をさらに有し、
前記検査符号算出保存部は、更に、前記基準制御変数が前記基準制御変数記憶領域に保存される際に、前記保存される前記基準制御変数についての検査符号を前記基準検査符号として算出し、前記基準検査符号記憶領域に保存する、
ことを特徴とする請求項１に記載の表示装置。
【請求項３】
前記基準検査符号記憶領域、前記比較検査符号記憶領域及び前記基準制御変数記憶領域は、揮発性の記憶領域に配置される、
ことを特徴とする請求項２に記載の表示装置。
【請求項４】
前記揮発性の記憶領域は、前記表示領域に表示する画像データを保存する表示画像記憶装置内の前記画像データが保存される領域以外の領域に配置される、
ことを特徴とする請求項２又は３に記載の表示装置。
【請求項５】
前記判定処理部は、判定の結果を前記表示領域に表示する、
ことを特徴とする請求項１〜４のいずれか１項に記載の表示装置。
【請求項６】
前記判定処理部は、適正でないと判定した場合に、前記制御変数記憶領域に保存された前記制御変数を、前記基準制御変数記憶領域に記憶されている前記基準制御変数に書き換える、
ことを特徴とする請求項５に記載の表示装置。
【請求項７】
前記判定処理部は、適正でないと判定した場合に、当該適正でないと判定した制御変数を前記表示領域に表示する、
ことを特徴とする請求項５又は６に記載の表示装置。
【請求項８】
前記制御変数記憶領域は、不揮発性の記憶領域に配置される、
ことを特徴とする請求項１〜７のいずれか１項に記載の表示装置。
【請求項９】
前記判定処理部は、前記基準検査符号と、前記比較検査符号と、が一致する場合に前記制御変数記憶領域に保存される前記制御変数が適正であると判定する、
ことを特徴とする請求項１〜８のいずれか１項に記載の表示装置。
【発明の詳細な説明】
【技術分野】
【０００１】
本発明は、表示装置に関する。
【背景技術】
【０００２】
情報通信端末やテレビ受信機において、液晶ディスプレイ、有機ＥＬディスプレイ等の薄型表示装置（フラットパネルディスプレイ）が広く用いられている。このような表示装置は、表示用パネル上の揮発性記憶装置及び不揮発性記憶装置に保存された制御変数を利用して、画像表示の制御を行っている。特許文献１には、ホストプロセッサが所定時間毎に正常な制御変数を設定することについて開示している。
【先行技術文献】
【特許文献】
【０００３】
【特許文献１】特開２００９−２８２２４４号公報
【発明の概要】
【発明が解決しようとする課題】
【０００４】
近年、上述したような表示装置の表示領域上にタッチパネルが設置されて使用されることが一般的となり、指等が表示画面に接触する機会も多くなっている。表示パネル上の揮発性記憶装置及び不揮発性記憶装置はこの表示領域に近く、このような接触の際に人体に帯電した静電気等の静電ノイズの影響を受け、保存された制御変数が書き換えられてしまうことがある。このような制御変数の不測の書き換えは、画像表示におけるフリッカ等の表示不具合の原因となるだけでなく、画像が表示されなくなる等の表示装置自体の故障の原因となる恐れもある。特許文献１に記載の処理はこのような不測の書き換えに対して有効であるが、ホストプロセッサの処理により多くの負担がかかるため、画像表示処理等に影響を与える恐れがある。
【０００５】
本発明は、上記実情を鑑みて為されたものであり、表示パネル上の記憶装置に保存された制御変数が適正か否かについて、より効率的に検査することのできる表示装置を提供することを目的とする。
【課題を解決するための手段】
【０００６】
（１）本発明は、表示装置であって、画像が表示される表示領域と前記画像の表示を制御する制御回路とを有する表示パネルを備え、前記制御回路は、前記画像の表示制御において用いられる制御変数が保存される制御変数記憶領域と、前記制御変数記憶領域に保存される制御変数が適正であることを検査する基準となる検査符号である基準検査符号が保存される基準検査符号記憶領域と、前記基準検査符号と比較される比較検査符号が保存される比較検査符号記憶領域と、前記制御変数記憶領域に保存されている前記制御変数についての検査符号を前記比較検査符号として算出し、前記比較検査符号記憶領域に保存する検査符号算出保存部と、前記基準検査符号と、前記比較検査符号と、を比較し、前記制御変数記憶領域に保存された前記制御変数が適正であるか否かを判定する判定処理部と、を有することとしたものである。
【０００７】
（２）上記（１）に記載の表示装置であって、前記制御回路は、前記制御変数が前記制御変数記憶領域に保存される際に、当該保存される制御変数を基準制御変数として記憶する基準制御変数記憶領域、をさらに有し、前記検査符号算出保存部は、更に、前記基準制御変数が前記基準制御変数記憶領域に保存される際に、前記保存される前記基準制御変数についての検査符号を前記基準検査符号として算出し、前記基準検査符号記憶領域に保存する、こととしたものである。
【０００８】
（３）上記（２）に記載の表示装置であって、前記基準検査符号記憶領域、前記比較検査符号記憶領域及び前記基準制御変数記憶領域は、揮発性の記憶領域に配置される、こととしたものである。
【０００９】
（４）上記（２）または（３）に記載の表示装置であって、前記揮発性の記憶領域は、前記表示領域に表示する画像データを保存する表示画像記憶装置内の前記画像データが保存される領域以外の領域に配置される、こととしたものである。
【００１０】
（５）上記（１）〜（４）のいずれか一つに記載の表示装置であって、前記判定処理部は、判定の結果を前記表示領域に表示する、こととしたものである。
【００１１】
（６）上記（５）に記載の表示装置であって、前記判定処理部は、適正でないと判定した場合に、前記制御変数記憶領域に保存された前記制御変数を、前記基準制御変数記憶領域に記憶されている前記基準制御変数に書き換える、こととしたものである。
【００１２】
（７）上記（５）または（６）に記載の表示装置であって、前記判定処理部は、適正でないと判定した場合に、当該適正でないと判定した制御変数を前記表示領域に表示する、こととしたものである。
【００１３】
（８）上記（１）〜（７）のいずれか１項に記載の表示装置であって、前記制御変数記憶領域は、不揮発性の記憶領域に配置される、こととしたものである。
【００１４】
（９）上記（１）〜（８）のいずれか一つに記載の表示装置であって、前記判定処理部は、前記基準検査符号と、前記比較検査符号と、が一致する場合に前記制御変数記憶領域に保存される前記制御変数が適正であると判定する、こととしたものである。
【発明の効果】
【００１５】
本発明によれば、表示装置において、表示パネル上の記憶装置に保存された制御変数が適正か否かについて、より効率的に検査することができる。
【図面の簡単な説明】
【００１６】
【図１】本発明の一実施形態に係る液晶表示装置の一例を示す図である。
【図２】本発明の第１実施形態に係る液晶表示パネルにより実現される機能の一例を示すブロック図である。
【図３】レジスタに保存された制御変数の一例を示す図である。
【図４】本発明の第１実施形態に係る制御部により実行される制御変数の値が適正であるか否かの検査処理の流れの一例を示すフロー図である。
【図５】エラー表示の一例を示す図である。
【図６】本発明の第２実施形態に係る液晶表示パネルにより実現される機能の一例を示すブロック図である。
【図７】本発明の第２実施形態に係る制御回路により実行される制御変数の値が適正であるか否かの検査処理の流れの一例を示すフロー図である。
【発明を実施するための形態】
【００１７】
［第１実施形態］
以下、本発明の第１実施形態について図面に基づき詳細に説明する。なお、図面において、同一または同等の要素には同一の符号を付し、重複する説明を省略する。
【００１８】
図１は、第１実施形態に係る表示装置である液晶表示装置１００について概略的に示す図である。図１に示すように、第１実施形態に係る液晶表示装置１００は、２つの基板の間に封止された液晶組成物の配向により光の透過を制御する液晶表示パネル２００を有し、液晶表示パネル２００は、上フレーム１０１及び下フレーム１０２に挟まれるようにして固定されている。
【００１９】
図２は、図１の液晶表示パネル２００により実現される機能の一例を示すブロック図である。
【００２０】
図２に示すように、液晶表示パネル２００は、表示領域２０２及び制御回路２０３を含んで構成され、ホストプロセッサ２０４と接続されている。
【００２１】
ホストプロセッサ２０４は、コンピュータ等の外部装置に備えられる処理装置であり、液晶表示パネル２００の動作を制御する。なお、ホストプロセッサ２０４は、液晶表示パネル２００の内部に備えられていてもよい。
【００２２】
表示領域２０２は、複数の画素が配置された領域であり、ホストプロセッサ２０４から入力される画像表示指示に基づいて制御回路２０３が各画素の輝度を制御することにより表示領域２０２において画像が表示される。
【００２３】
制御回路２０３は、レジスタ２０５、表示用メモリ２０６、不揮発性メモリ２０７及び制御部２０８を含んで構成されている。制御回路２０３は、主に、ホストプロセッサ２０４から入力される画像情報に基づいて、レジスタ２０５、不揮発性メモリ２０７に保存された制御情報を用いて表示領域２０２に画像を表示させる。
【００２４】
レジスタ２０５は、本実施形態においては、ホストプロセッサ２０４から入力される表示のための複数の制御変数（例えば、階調値に対応する電圧の情報等）が複数ビットのデータとして保存され、画像表示の際に参照される記憶装置である。なお、レジスタ２０５は、いわゆるＲＡＭ（Random-Access-Memory）等の他の記憶装置であってもよい。レジスタ２０５は、図３に例示するように、アドレスと、制御変数と、を一対一で対応付けて管理している。各アドレスには割り当てられた制御変数の値が保存される。この制御変数には、ホストプロセッサ２０４からの指示により書き換えが生じる制御変数（例えば、表示の上下反転、左右反転等の情報）が含まれていてもよい。後述する制御変数の値が適正であるか否かの検査において、レジスタ２０５に保存されているすべての制御変数を検査対象としてもよいし、上述のような書き換えが生じる制御変数を除外した一部の制御変数を検査対象としてもよい。このような検査対象となる制御変数は、検査対象制御変数として、レジスタ２０５の検査対象制御変数記憶領域２０９に保存されている。
【００２５】
表示用メモリ２０６は、いわゆる、ＲＡＭ等であり、第１実施形態においては、ホストプロセッサ２０４から入力される画像データが一時的に保存され、画像表示の際に参照される記憶装置である。表示用メモリ２０６は、ホストプロセッサ２０４から入力される画像データを保存する表示データ記憶領域２１０を備え、表示データ記憶領域２１０以外の領域に検査対象制御変数記憶領域２０９に保存されるべき適正な制御変数である基準制御変数を保存する基準制御変数記憶領域２１１と、検査対象制御変数の適正を検査するための基準となる検査符号である基準検査符号を記憶する基準検査符号記憶領域２１２と、検査対象制御変数記憶領域２０９に保存されている検査対象制御変数についての検査符号を、基準検査符号と比較するための比較検査符号として保存する比較検査符号記憶領域２１３とを備えている。
【００２６】
不揮発性メモリ２０７は、いわゆる、ＮＶＲＡＭ（Non-volatile-Random-Access-Memory）やＥＥＰＲＯＭ（Electronically-Erasable-and-Programmable-Read-Only-Memory）等であり、液晶表示パネル２００の製造工程において、工場出荷時用の初期データが保存され、液晶表示装置１００の初期起動時に参照される、または液晶表示パネル２００毎に特有の値となる制御変数が保存され、画像表示の際に参照される記憶装置である。
【００２７】
制御部２０８は、表示制御部２１４、検査符号算出保存部２１５及び判定処理部２１６を含んで構成されている。ここで、制御部２０８は、プログラムに従って動作するＣＰＵ等の処理装置、及び処理装置によって実行されるプログラムが保存されるＲＡＭ等の記憶素子などを含んで構成されることとするが、制御部２０８により実行される処理の一部がプログラムを介さない電子回路により実行されてもよい。
【００２８】
表示制御部２１４は、レジスタ２０５及び不揮発性メモリ２０７に保存されている制御変数を用い、表示データ記憶領域２１０に保存されている画像データの画像を表示領域２０２に画像を表示する。
【００２９】
検査符号算出保存部２１５は、基準制御変数についての検査符号を算出し、基準検査符号として基準検査符号記憶領域２１２に保存するとともに、検査対象制御変数記憶領域２０９に保存されている検査対象制御変数についての検査符号を算出し、比較検査符号として比較検査符号記憶領域２１３に保存する。ここで、検査符号には、検査対象制御変数を全て加算した下位１６ビットの値である、いわゆるチェックサムを用いることとするが、ＣＲＣ（Cyclic Redundancy-Check）等、その他の公知の検査符号を用いることもできる。
【００３０】
判定処理部２１６は、基準検査符号記憶領域２１２に保存された基準検査符号と、比較検査符号記憶領域２１３に保存された比較検査符号と、を比較することで、検査対象制御変数記憶領域２０９に保存されている検査対象制御変数が適正であるか否かを判定する。具体的には、例えば、判定処理部２１６は、検査符号とした基準検査符号記憶領域２１２に保存されたチェックサムと比較検査符号記憶領域２１３に保存されたチェックサムとが一致するか否かを判定し、一致すると判定した場合に、検査対象制御変数記憶領域２０９に保存されている検査対象制御変数が適正であると判断する。さらに、判定処理部２１６は、液晶表示パネル２００が試験モードであるか否かを判定し、試験モードＯＮ／ＯＦＦに応じて、検査結果を表示領域２０２に表示する、または、検査対象制御変数を適正値に書き換える等の処理を実行する。ここで、試験モードとは、液晶表示パネル２００の製造工程やメンテナンス等で使用されるモードであり、通常使用においてはＯＦＦとされている。ホストプロセッサ２０４からの指示により試験モードＯＮに切り替えることで、検査結果を表示領域２０２に表示することができる。
【００３１】
次に第１実施形態における制御部２０８により実行される、検査対象制御変数の値が適正であるか否かの検査処理の流れの一例を図４のフロー図を参照しながら説明する。
【００３２】
液晶表示装置１００の電源投入時に、ホストプロセッサ２０４が制御変数の初期値をレジスタ２０５に保存する（Ｓ３０１）。
【００３３】
そして、検査符号算出保存部２１５が、検査対象制御変数記憶領域２０９に保存された検査対象制御変数の初期値について検査符号を算出し、算出した検査符号を比較検査符号として比較検査符号記憶領域２１３に保存する（Ｓ３０２）。この際、検査符号算出保存部２１５は、検査対象制御変数の初期値を基準制御変数として基準制御変数記憶領域２１１に保存する（Ｓ３０３）。
【００３４】
検査符号算出保存部２１５は、基準制御変数記憶領域２１１に保存された基準制御変数について検査符号を算出し、算出した検査符号を基準検査符号として基準検査符号記憶領域２１２に保存する（Ｓ３０４）。
【００３５】
その後、ホストプロセッサ２０４からの画像表示指示に基づいて表示制御部２１４は画像表示処理を実施する（Ｓ３０５）。ここで、画像表示処理においては、表示制御部２１４によるホストプロセッサ２０４から入力される画像データに基づく画像を表示制御部２１４が表示領域２０２に表示させる処理の他、例えば、ホストプロセッサ２０４からの入力に基づいてレジスタ２０５に記憶されている検査対象から除外された制御変数の書き換え等を行ってもよい。
【００３６】
表示制御部２１４は、ホストプロセッサ２０４から入力される画像データに基づいて、所定時間（例えば１／６０秒）ごとに表示領域２０２に画像を表示する。そして、表示制御部２１４は当該所定時間ごとにＳ３０６以下の処理を実行する。なお、Ｓ３０６以下の処理を実行するタイミングはこのような所定時間ごとでもよいし、表示画像に不具合が生じたタイミングでもよい。
【００３７】
検査符号算出保存部２１５は、検査対象制御変数記憶領域２０９に記憶された検査対象制御変数について検査符号を算出し、算出した検査符号を比較検査符号記憶領域２１３に保存する（Ｓ３０６）。
【００３８】
判定処理部２１６は、処理Ｓ３０６にて、検査符号算出保存部２１５が比較検査符号記憶領域２１３に保存した比較検査符号と、基準検査符号記憶領域２１２に記憶されている基準検査符号と、が一致するか否かを判定する（Ｓ３０７）。
【００３９】
判定処理部２１６が、一致すると判定した場合は、検査対象制御変数記憶領域２０９に記憶されている検査対象制御変数が適正であると判断し、Ｓ３０５以降の処理を再度実行する。
【００４０】
判定処理部２１６が、一致しないと判定した場合は、検査対象制御変数記憶領域２０９に記憶されている検査対象制御変数が適正でないと判断する。そして、判定処理部２１６が、試験モードＯＮであるか否かを判定し（Ｓ３０８）、試験モードＯＮでないと判定した場合は、判定処理部２１６は、検査対象制御変数記憶領域２０９に記憶されている検査対象制御変数を基準制御変数記憶領域２１１に記憶されている基準制御変数に書き換える（Ｓ３０９）。そして、検査対象制御変数が基準制御変数に書き換えられると、制御部２０８は、Ｓ３０５以降の処理を再度実行する。
【００４１】
判定処理部２１６は、試験モードＯＮであると判定した場合には、検査対象制御変数記憶領域２０９に記憶されている検査対象制御変数が適正でないことを知らせるエラー表示を表示領域２０２に表示する（Ｓ３１０）。第１実施形態においては、判定処理部２１６が、適正でないと判断された検査対象制御変数と基準制御変数記憶領域２１１に保存されている基準制御変数とを１つずつ比較し、一致しないと判定した制御変数とレジスタ２０５におけるその制御変数のアドレスとを表示領域２０２に表示する。図５は、Ｓ３１０にて、表示領域２０２に表示されるエラー表示の一例を示す図である。図５に示すように、値が適正でないと判定された検査対象制御変数について、レジスタ２０５におけるアドレスと、保存されている値と、が対応付けられて表示される。なお、本実施形態においては、エラー表示は、適正でない制御変数の値を表示することとしたが、単に制御変数の異常発生を知らせるエラー表示、またはエラー音声であってもよい。そして、制御部２０８は、検査対象制御変数記憶領域２０９に記憶される検査対象制御変数の検査処理を終了する。
【００４２】
上述の通り、第１実施形態における液晶表示パネル２００によれば、静電ノイズ等の影響によりレジスタ２０５に保存されている制御変数が書き換えられた場合でも、ホストプロセッサ２０４に負担をかけずに、液晶表示パネル２００の制御部２０８の処理により書き換えられた制御変数の検査を行うことができる。さらに制御部２０８の処理により書き換えられた制御変数を適正な値に戻すことが可能となる。
【００４３】
また、第１実施形態における液晶表示パネル２００によれば、制御変数が適正であるか否かの検査処理に用いるデータを表示用メモリ２０６の空き領域に保存することで、新たに検査処理用データの記憶装置を設けることなく既存の装置を用いて制御変数を適正な値に保つことが可能となる。
【００４４】
また、第１実施形態における制御変数が適正であるか否かの検査処理において、検査符号としてチェックサムを用いることで、検査対象制御変数を一つずつ適正な値と比較することに対して一度の処理で検査処理を行うことができ、制御部２０８の処理負担が軽減される。
【００４５】
また、第１実施形態における液晶表示パネル２００が試験モードを備え、その試験モードＯＮ／ＯＦＦを適宜切り替えられることで、液晶表示装置１００の通常使用時には、画像表示に影響を与えることなく制御変数を適正な値に保ち、製造工程またはメンテナンス時には、書き換えられた制御変数の値とアドレスを取得することが可能となる。
【００４６】
［第２実施形態］
第１実施形態では、制御変数の値が適正であるか否かの検査において、レジスタ２０５に保存されている制御変数を検査対象としたが、第２実施形態では、不揮発性メモリ２０７に保存されている制御変数を検査対象とする。第２実施形態において検査対象となる制御変数は、不揮発性メモリ２０７に保存されている全ての制御変数であってもよいし、上述の液晶表示パネル２００毎に特有の値となる制御変数を除外した一部の制御変数であってもよい。このような検査対象となる制御変数は、検査対象制御変数として、不揮発性メモリ２０７の検査対象制御変数記憶領域２０９に保存されている。図６は、第２実施形態に係る液晶表示パネル２００により実現される機能の一例を示すブロック図である。第２実施形態は、表示用メモリ２０６内に基準制御変数記憶領域２１１がなく、表示データ記憶領域２１０、基準検査符号記憶領域２１２及び比較検査符号記憶領域２１３が備えられている点、及び、検査対象制御変数記憶領域２０９がレジスタ２０５内になく、不揮発性メモリ２０７内に備えられている点を除けば、第１実施形態と同様の構成となる。従って、第１実施形態と同等の構成には同符号を付し、その重複する説明は省略するものとする。
【００４７】
第２実施形態における制御部２０８により実行される検査対象制御変数の値が適正であるか否かの検査処理の流れの一例を図６のフロー図を参照しながら説明する。
【００４８】
まず、検査対象制御変数の値が適正であるか否かの検査処理が開始されると、ホストプロセッサ２０４が、検査対象制御変数の適正を検査するための基準となる符号である基準検査符号を演算し、基準検査符号記憶領域２１２に保存する（Ｓ４０１）。
【００４９】
次に、検査符号算出保存部２１５が、検査対象制御変数記憶領域２０９に保存されている検査対象制御変数についての検査符号を算出し、比較検査符号として比較検査符号記憶領域２１３に保存する（Ｓ４０２）。
【００５０】
そして、判定処理部２１６が、比較検査符号記憶領域２１３に保存されている比較検査符号と、基準検査符号記憶領域２１２に保存されている基準検査符号と、が一致するか否かを判定する（Ｓ４０３）。
【００５１】
判定処理部２１６が一致すると判定した場合は、検査対象制御変数記憶領域２０９に保存されている検査対象制御変数の値が適正であることを知らせるＯＫ通知（例えば、全面青表示）を表示領域２０２に表示し（Ｓ４０４）、制御部２０８は検査処理を終了する。
【００５２】
判定処理部２１６が一致しないと判定した場合は、検査対象制御変数記憶領域２０９に保存されている検査対象制御変数の値が適正でないことを知らせるエラー通知（例えば、全面赤表示）を表示領域２０２に表示し（Ｓ４０５）、制御部２０８は検査処理を終了する。なお、検査対象制御変数の値が適正である、または適正でないことを知らせる通知として、判定処理部２１６が制御回路２０３に備えられている出力端子から、適正である場合と、適正でない場合とで異なる電圧を出力することとしてもよい。その際、出力端子に接続されているＬＥＤ等が出力端子からの電圧変化により点消灯することで検査対象制御変数の値が適正であるか否かを判断する。具体的には、検査対象制御変数の値が適正である場合は接地電圧（ＧＮＤ）を出力してＬＥＤを消灯し、適正でない場合は接地電圧より高電位の電圧（例えば、３Ｖ）を出力してＬＥＤを点灯する。また、検査対象制御変数の値が適正でないと判断された場合に、第１実施形態と同様にして検査対象制御変数記憶領域２０９に保存されている検査対象制御変数を適正な値に書き換えることとしてもよい。この場合は、検査対象制御変数の適正な値をホストプロセッサ２０４から入力することで書き換えることができる。
【００５３】
これにより、第２実施形態における制御変数が適正であるか否かの検査処理においても、前述の第１実施形態と同様の効果を得ることが可能となる。さらに、液晶表示パネル２００の製造工程において不揮発性メモリ２０７に保存される工場出荷時用の初期データまたは液晶表示パネル毎に特有となる値である制御変数が、製造工程内で書き換えられた場合であっても、第２実施形態における液晶表示パネル２００によれば、ホストプロセッサ２０４に負担をかけずに、液晶表示パネル２００の制御部２０８の検査処理によって不揮発性メモリ２０７に保存されている制御変数の書き換えが生じたことを検出することができる。
【００５４】
なお、本発明は上述の実施形態に限定されるものではない。
【００５５】
本実施形態では、液晶表示装置１００を対象としていたが、例えば有機ＥＬ表示装置等、その他の表示装置であってもよい。
【００５６】
また、本実施形態では、検査処理に用いられる検査符号等が保存される記憶領域を画像データが保存される表示用メモリ２０６の空き領域に設けることとしたが、表示用メモリ２０６以外の他の用途に用いられる記憶装置の空き領域に設けてもよい。
【符号の説明】
【００５７】
１００  液晶表示装置、１０１  上フレーム、１０２  下フレーム、２００  液晶表示パネル、２０２  表示領域、２０３  制御回路、２０４  ホストプロセッサ、２０５  レジスタ、２０６  表示用メモリ、２０７  不揮発性メモリ、２０８  制御部、２０９  検査対象制御変数記憶領域、２１０  表示データ記憶領域、２１１  基準制御変数記憶領域、２１２  基準検査符号記憶領域、２１３  比較検査符号記憶領域、２１４  表示制御部、２１５  検査符号算出保存部、２１６  判定処理部。
【図１】
2014134662.tif 000003
【図２】
2014134662.tif 000004
【図３】
2014134662.tif 000005
【図４】
2014134662.tif 000006
【図５】
2014134662.tif 000007
【図６】
2014134662.tif 000008
【図７】
2014134662.tif 000009